(57)【要約】      （修正有）【課題】熟練した技術は必要なく、誰でも簡単に釣り針を取り外すことができる釣り針外し具を提供する。【解決手段】操作用の棒状体１０を設ける。該棒状体１０の先端部に設けられ釣り針Ｐを係止固定する筒状体２０を設ける。該筒状体２０の長さ方向に沿って釣糸Ｑを筒状体２０の内部に導入せしめる導入スリットを設ける。筒状体２０の開口部が棒状体１０の先端部方向を向くように棒状体１０に連結する。該筒状体２０に釣り針Ｐの軸部Ｐ１を通したときに、筒状体２０の先端部と筒状体２０の内部との二箇所で釣り針Ｐの軸部Ｐ１を支える長さに形成する。筒状体２０の先端部に、釣り針Ｐの軸部Ｐ１を係止せしめる係止凹部２２を形成する。【選択図】図４
0003150381.tif 000002
【実用新案登録請求の範囲】
【請求項１】
操作用の棒状体と、該棒状体の先端部に設けられ釣り針を係止固定する筒状体とから成る釣り針外し具であって、筒状体の長さ方向に沿って釣糸を筒状体の内部に導入せしめる導入スリットを形成し、筒状体の開口部が棒状体の先端部方向を向くように棒状体に設け、該筒状体に釣り針の軸部を通したときに、筒状体の先端部と筒状体の内部との二箇所で釣り針の軸部を支える長さに設けたことを特徴とする釣り針外し具。
【請求項２】
前記筒状体の先端部に、釣り針の軸部を係止せしめる係止凹部を形成した請求項１記載の釣り針外し具。
【請求項３】
前記筒状体の先端部に、外側に広がるテーパー部を形成し、該テーパー部に前記係止凹部を形成した請求項１又は２記載の釣り針外し具。
【考案の詳細な説明】
【技術分野】
【０００１】
本考案は、魚が飲み込んだ釣り針を取り外す際に使用する釣り針外し具に係り、特に、誰でも簡単に釣り針を取り外すことができる釣り針外し具に関するものである。
【背景技術】
【０００２】
従来の釣り針外し具が特許文献１に記載されている。この釣り針外し具は筒状体を成すもので、この筒状体に、釣糸を通すための糸通し穴と、釣糸を糸通し穴まで導く切り込みとを設けている。そして、釣糸を引っ張りながら、筒状体の先端部を針がかり部まで押し込み、引っ張った釣糸を筒状体の後端部に形成した糸止め用の切り込みに固定する。その状態で魚をぶら下げ、魚の重さを利用してこの魚を上下させると、釣り針を外すことができるというものである。
【０００３】
一方、棒状体の先端に環状体を設け、この環状体に形成した切り欠き部から環状体の中に釣糸を通し、この環状体を針がかり部分に押し込んで釣り針を外す構造の釣り針外し具が、数多く提案されている。
【先行技術文献】
【特許文献】
【０００４】
【特許文献１】実開平６−７８号公報
【考案の概要】
【考案が解決しようとする課題】
【０００５】
特許文献１によると、筒状体の先端を針がかり部分まで押し込み、筒状体の後端部に釣糸を係止固定するものである。そのため、この状態で魚を上下に振ると、全ての荷重を釣糸が支えることになる。そうすると、口奥の骨などに釣り針が引っかかったときなど、釣糸を引っ張るだけでは外れない状況では、釣糸が切れてしまうおそれがあった。また、釣糸が切れてしまうと、釣り針を外す手掛かりがなくなってしまうので、釣り針の取り外しが更に困難になる。
【０００６】
しかも、特許文献１では、筒状体の先端を押し込む際に、この先端付近に設けた糸通し穴に釣糸を通しながら押し込む作業になっている。そのため、糸通し穴に通した釣糸が糸通し穴に擦れて切断するおそれもある。仮に糸通し穴で釣糸が切れてしまうと、釣り針に極めて近い位置で釣糸が切れることになり、もはや魚を解体する以外に、釣り針を取り外すことは不可能な状態になる。このように、引用文献１に記載の釣り針外し具によると、釣り針が外れずに釣糸が切れるおそれがあった。
【０００７】
一方、棒状物の先端に環状体を設けた従来の釣り針外し具では、この環状体を針がかり部付近に押し込むことはできても、釣り針を外すには熟練した技術が必要になる。すなわち、魚が釣り針を飲み込んだときに、口奥の骨などに釣り針が引っかかった状況などが、針を外すのに最も困難な状況になる。この場合、釣り針を針先と逆の方向に僅かでも回転させることができると、引っかかっている釣り針を簡単に外すことが可能になる。
【０００８】
ところが、従来の環状部を利用して、魚の口奥内で釣り針の先端部分を回転させるには、この環状部に釣り針を係止する必要がある。多くの釣り針外し具においても、釣り針付近に送り込んだ部材を利用して釣り針を外そうとするものであるが、この部材に釣り針を確実に係止させることが困難な作業になっていた。したがって、このような作業には多くの経験が求められ、釣り針を外すには熟練した技術が必要になっていたものである。
【０００９】
そこでこの考案は、上述の課題に鑑み案出されたもので、熟練した技術は必要なく、誰でも簡単に釣り針を取り外すことができる釣り針外し具の提供を目的とするものである。
【課題を解決するための手段】
【００１０】
上述の目的を達成すべく本考案における第１の手段は、操作用の棒状体１０と、該棒状体１０の先端部に設けられ釣り針Ｐを係止固定する筒状体２０とから成る釣り針外し具であって、筒状体２０の長さ方向に沿って釣糸Ｑを筒状体２０の内部に導入せしめる導入スリット２１を形成し、筒状体２０の開口部が棒状体１０の先端部方向を向くように棒状体１０に設け、該筒状体２０に釣り針Ｐの軸部Ｐ１を通したときに、筒状体２０の先端部と筒状体２０の内部との二箇所で釣り針Ｐの軸部Ｐ１を支える長さに設けたことにある。
【００１１】
第２の手段は、前記筒状体２０の先端部に、釣り針Ｐの軸部Ｐ１を係止せしめる係止凹部２２を形成している。
【００１２】
第３の手段は、前記筒状体２０の先端部に、外側に広がるテーパー部２３を形成し、該テーパー部２３に前記係止凹部２２を形成したことを課題解消のための手段とする。
【考案の効果】
【００１３】
本考案の請求項１の如く、筒状体２０の長さ方向に沿って釣糸Ｑを筒状体２０の内部に導入せしめる導入スリット２１を設け、筒状体２０の開口部が棒状体１０の先端部方向を向くように棒状体１０に設けたことにより、筒状体２０内に導入した釣糸Ｑに沿って筒状体２０を移動させ、筒状体２０の内部に釣り針Ｐの軸部Ｐ１を導入することができる。
【００１４】
そして、この筒状体２０は、筒状体２０内部に釣り針Ｐの軸部Ｐ１を通したときに、筒状体２０の先端部と筒状体２０の内部との二箇所で釣り針Ｐの軸部Ｐ１を支える長さに設けられているので、筒状体２０内の釣り針Ｐを確実に係止することができる。この結果、筒状体２０内部に釣り針Ｐを挿入した状態で回転操作すると、釣り針Ｐも簡単に回転させることができる。したがって、誰でも簡単に釣り針を取り外すことができる。
【００１５】
また、請求項２のように、筒状体２０の先端部に、釣り針Ｐの軸部Ｐ１を係止せしめる係止凹部２２を形成したことで、釣り針Ｐをより確実に係止することができる。
【００１６】
更に、請求項３の如く、筒状体２０の先端部に、外側に広がるテーパー部２３を形成し、該テーパー部２３に前記係止凹部２２を形成したことにより、釣り針Ｐの軸部Ｐ１のカーブに沿って釣り針Ｐを係止できるので、係止した釣り針Ｐを自由に操作することが可能になる。
【００１７】
しかも、テーパー部２３は、カッターの作用も奏するので、釣り針Ｐが引っかかった付近を切り離すことも可能である。
【図面の簡単な説明】
【００１８】
【図１】本考案の一実施例を示す正面図である。
【図２】本考案の棒状体の先端部を示す要部正面図である。
【図３】本考案の棒状体の先端部を示す平面図である。
【図４】本考案の筒状体の操作状態を示す要部断面図である。
【考案を実施するための形態】
【００１９】
このように本考案によると、熟練した技術は必要なく、誰でも簡単に釣り針を外すことができるといった目的を実現した。
【実施例】
【００２０】
以下、本考案の一実施例を説明する。本考案は、棒状体１０と筒状体２０とで構成されている（図１参照）。
【００２１】
棒状体１０は、本考案を操作するもので、魚の口内部に挿入可能な細い線状部材を使用する。図示例では、この棒状体１０に、太めの棒状部材からなる操作体１１を連結している（図１参照）。棒状体１０の材質は、金属材、プラスチック材など、耐久性に優れた材質が好ましい。また、操作体１１は、木材など、手指になじみ易く操作性の良い材質が好適である。そして、これらの材質は、適宜選択できるものである。
【００２２】
筒状体２０は、該棒状体１０の先端部に設けられたもので、この筒状体２０の先端と内部で釣り針Ｐを係止固定する（図４参照）。図示例では、筒状体２０の長さを釣り針Ｐの長さよりも短く形成しているが、軸部Ｐ１を収納する長さであれば、軸部Ｐ１が隠れるほど長い筒状体２０でも良い。
【００２３】
また、筒状体２０の長さ方向に沿って導入スリット２１を設け、この導入スリット２１から筒状体２０の内部に釣糸Ｑを導入できるように形成している（図２、図３参照）。そして、この釣糸Ｑに接続した釣り針Ｐが釣糸Ｑに伴って筒状体２０内部に入り込むようにするため、筒状体２０の開口部が棒状体１０の先端部方向を向くように設けている（図１参照）。
【００２４】
図示例では、棒状体１０と筒状体２０とを溶接等により固着した状態を示しているが、この他、筒状体２０を着脱自在に連結することも可能である（図示せず）。この場合、筒状体２０の長さや直径等のサイズを変えて複数の筒状体２０を用意しておき、釣り針Ｐのサイズに適応した筒状体２０を選択して棒状体１０に装着することも可能である。
【００２５】
筒状体２０は、前述の如く、筒状体２０の内部に釣り針Ｐの軸部Ｐ１を収納する長さに形成されており、該筒状体２０に釣り針Ｐの軸部Ｐ１を通したときに、筒状体２０の先端部と筒状体２０の内部との二箇所で釣り針Ｐの軸部Ｐ１を支えるように設けている（図４参照）。
【００２６】
また、筒状体２０の先端部に、釣り針Ｐの軸部Ｐ１を係止せしめる係止凹部２２を形成することで、釣り針Ｐの移動を防止し、より確実に係止できるようにしている。
【００２７】
更に、筒状体２０の先端部に、外側に広がるテーパー部２３を形成し、該テーパー部２３に前記係止凹部２２を形成している（図２、図３参照）。このテーパー部２３は、カーブした軸部Ｐ１を係止するのに好適であり、テーパー部２３上で係止凹部２２位置が回転するように筒状体２０を操作すると、簡単に軸部Ｐ１を係止凹部２２に係止させることができる。
【００２８】
しかもテーパー部２３は、カッターの作用も奏するので、釣り針Ｐが引っかかった付近を切り離すことも可能である。
【００２９】
本考案を使用するには、まず、導入スリット２１から筒状体２０内に釣糸Ｑを導入し、この状態で筒状体２０を、引っかかっている釣り針Ｐ方向に差し込む（図１参照）。更に、筒状体２０を押し込むと、筒状体２０の内部に釣り針Ｐが導入される。筒状体２０の内に釣り針Ｐが入ったことは、金属製の釣り針Ｐが筒状体２０にあたるので、容易に判断できる。
【００３０】
また、筒状体２０の先端に係止凹部２２を形成しているので、筒状体２０を軸周りに回転させたときに、この係止凹部２２に釣り針Ｐが係止されると、筒状体２０内に釣り針Ｐが固定されたことが手ごたえで感じることができる。
【００３１】
次に、棒状体１０を操作して釣り針Ｐの針先Ｐ２が抜ける方向に筒状体２０を僅かに回転させると、引っかかっていた釣り針Ｐが簡単に外れるものである（図４参照）。これら一連の作業は、本考案をはじめて使用した者でも、極めて簡単に行うことができる。
【００３２】
尚、本考案は、図示例に限定されるものではなく、本考案の各構成は本考案の要旨を変更しない範囲において自由に変更できるものである。
【産業上の利用可能性】
【００３３】
本考案によると、あらゆる釣り針Ｐに用いることができるので、どのような釣り場においても使用することができる。
【符号の説明】
【００３４】
Ｐ  釣り針
Ｐ１  軸部
Ｑ  釣糸
１０  棒状体
１１  操作体
２０  筒状体
２１  導入スリット
２２  係止凹部
２３  テーパー部
【図１】
0003150381.tif 000003
【図２】
0003150381.tif 000004
【図３】
0003150381.tif 000005
【図４】
0003150381.tif 000006